(57)【要約】【課題】複数のコンタクトと導電性のミッドプレートとを備えながらも、クロストークの発生を十分に抑制することができるコネクタを提供する。【解決手段】複数のコンタクト２２、３２のうち少なくとも複数ペアのコンタクトは、それぞれ、所定の距離Ｄ１よりも長い離間距離Ｄ２だけミッドプレート１５からミッドプレート１５に垂直な方向に離れた離間部２２Ｆ、３２Ｆを有し、離間部２２Ｆ、３２Ｆは、接触部２２Ａ、３２Ａに対して嵌合方向の後端側に隣接し且つハウジング１４から露出されている露出部２２Ｂ、３２Ｂと、露出部２２Ｂ、３２Ｂに対して嵌合方向の後端側に隣接する部分の保持部２２Ｄ、３２Ｄとを含む。【選択図】図９
2020198173.tif 000002
【特許請求の範囲】
【請求項１】
所定の有効接続長を有するコネクタであって、
それぞれ相手側コネクタとの嵌合方向に延び且つ前記嵌合方向に直交する配列方向に配列された導電性の複数のコンタクトと、
前記嵌合方向および前記配列方向に延びて前記複数のコンタクトに対向するように配置された導電性の平板状のミッドプレートと、
前記複数のコンタクトおよび前記ミッドプレートを保持する絶縁性のハウジングと
を備え、
前記複数のコンタクトは、前記ミッドプレートを挟んで前記ミッドプレートの両面にそれぞれ対向するように配列された第１コンタクト列および第２コンタクト列を有し、
前記第１コンタクト列および前記第２コンタクト列は、それぞれ、複数ペアのコンタクトを含み、
前記複数のコンタクトは、それぞれ、前記嵌合方向の前端部分に配置され且つ前記嵌合方向に沿って前記有効接続長に相当する長さを有すると共に前記ハウジングから露出されて前記相手側コネクタのコンタクトに接触する接触部と、前記接触部に対して前記嵌合方向の後端側に隣接し且つ前記ハウジングから露出されている露出部と、前記嵌合方向の後端部分に配置され且つ接続対象物に接続される接続部と、前記露出部および前記接続部の間に配置され且つ少なくとも一部が前記ハウジングに埋め込まれる保持部とを有し、
前記複数のコンタクトは、それぞれ、前記接触部において前記ミッドプレートから前記ミッドプレートに垂直な方向に所定の距離だけ離れて配置され、
前記複数のコンタクトのうち少なくとも前記複数ペアのコンタクトは、それぞれ、前記所定の距離よりも長い離間距離だけ前記ミッドプレートから前記ミッドプレートに垂直な方向に離れた離間部を有し、
前記離間部は、前記露出部と前記露出部に対して前記嵌合方向の後端側に隣接する部分の前記保持部とを含むことを特徴とするコネクタ。
【請求項２】
前記複数ペアのコンタクトを含む前記複数のコンタクトは、すべて前記離間部を有する請求項１に記載のコネクタ。
【請求項３】
前記複数のコンタクトの前記離間部は、互いに等しい前記離間距離だけ前記ミッドプレートから離れている請求項２に記載のコネクタ。
【請求項４】
前記ハウジングは、前記複数のコンタクトの前記露出部に対して前記嵌合方向の後端側に隣接する前記保持部の一部を覆うハウジング段差部を有し、
前記離間部に対応する部分の前記ハウジング段差部は、前記離間距離に等しい厚さを有する請求項１〜３のいずれか一項に記載のコネクタ。
【請求項５】
前記ハウジングは、前記第１コンタクト列および前記第２コンタクト列に対応して一対の前記ハウジング段差部を有する請求項４に記載のコネクタ。
【請求項６】
前記一対の前記ハウジング段差部の上にそれぞれ配置された導電性の平板状のグランドプレートをさらに備える請求項５に記載のコネクタ。
【請求項７】
前記複数のコンタクトは、前記ハウジングに一体に成形されている請求項１〜６のいずれか一項に記載のコネクタ。
【請求項８】
前記複数のコンタクトの前記接触部および前記露出部を囲むように前記ハウジングの外周部を覆い且つ前記嵌合方向の前方に向けて開口する相手側コネクタ収容部を有する導電性の外周シェルをさらに備える請求項１〜７のいずれか一項に記載のコネクタ。
【発明の詳細な説明】
【技術分野】
【０００１】
この発明は、コネクタに係り、特に、複数のコンタクトと導電性のミッドプレートとを備えるコネクタに関する。
【背景技術】
【０００２】
従来から、複数のコンタクトと、複数のコンタクトに対向する導電性のミッドプレートとを有するコネクタが知られている。例えば特許文献１には、図１２に示されるように、金属からなる平板状のミッドプレート１の一方の面に複数のコンタクト２が対向し、ミッドプレート１の他方の面に複数のコンタクト３が対向するコネクタが開示されている。
【０００３】
図１３に示されるように、それぞれのコンタクト２は、嵌合方向の前端部分に配置され且つ図示しない相手側コネクタのコンタクトに接触する接触部２Ａと、嵌合方向の後端部分に配置され且つ図示しない基板等に接続される接続部２Ｂと、接触部２Ａと接続部２Ｂとの間に配置された保持部２Ｃとを有している。それぞれのコンタクト３も、コンタクト２と同様に、接触部３Ａと接続部３Ｂと保持部３Ｃとを有している。
【０００４】
そして、図１４に示されるように、ミッドプレート１と複数のコンタクト２および複数のコンタクト３が、ハウジング４により一体に成形されることで、コネクタが形成されている。複数のコンタクト２の接触部２Ａおよび複数のコンタクト３の接触部３Ａは、ハウジング４から露出するように配置され、複数のコンタクト２の接続部２Ｂおよび複数のコンタクト３の接続部３Ｂは、ハウジング４の後方に突出している。
【０００５】
ミッドプレート１は、複数のコンタクト２と複数のコンタクト３とを互いに電気的に隔離するためのものであるが、このようなミッドプレート１と複数のコンタクト２および複数のコンタクト３とを有するコネクタにおいては、複数のコンタクト２および複数のコンタクト３がミッドプレート１に近接して配置されるために、複数のコンタクト２の相互間あるいは複数のコンタクト３の相互間で、ミッドプレート１を介してクロストークが発生して伝送特性が劣化することがある。
【０００６】
そこで、図１３に示されるように、コンタクト２の保持部２Ｃおよびコンタクト３の保持部３Ｃの一部に、ミッドプレート１から離れるように変形された変形部２Ｄおよび３Ｄが形成されている。これら変形部２Ｄおよび３Ｄの存在により、ミッドプレート１を介したクロストークの発生が抑制される。
【先行技術文献】
【特許文献】
【０００７】
【特許文献１】台湾特許公告第Ｉ６３０７６３号
【発明の概要】
【発明が解決しようとする課題】
【０００８】
しかしながら、図１４から推測されるように、コンタクト２および３の接触部２Ａおよび３Ａは、ハウジング４から露出しているものの、変形部２Ｄおよび３Ｄは、ハウジング４内に埋設されている。すなわち、ミッドプレート１から離れるように変形されたコンタクト２および３の変形部２Ｄおよび３Ｄは、ハウジング４内に埋設される部分に限定されるため、嵌合方向に沿って長く延びる変形部２Ｄおよび３Ｄを確保することができず、クロストークの発生を十分に抑制することが困難であるという問題がある。
【０００９】
この発明は、このような従来の問題点を解消するためになされたもので、複数のコンタクトと導電性のミッドプレートとを備えながらも、クロストークの発生を十分に抑制することができるコネクタを提供することを目的とする。
【課題を解決するための手段】
【００１０】
この発明に係るコネクタは、所定の有効接続長を有するコネクタであって、
それぞれ相手側コネクタとの嵌合方向に延び且つ嵌合方向に直交する配列方向に配列された導電性の複数のコンタクトと、
嵌合方向および配列方向に延びて複数のコンタクトに対向するように配置された導電性の平板状のミッドプレートと、
複数のコンタクトおよびミッドプレートを保持する絶縁性のハウジングとを備え、
複数のコンタクトは、ミッドプレートを挟んでミッドプレートの両面にそれぞれ対向するように配列された第１コンタクト列および第２コンタクト列を有し、
第１コンタクト列および第２コンタクト列は、それぞれ、複数ペアのコンタクトを含み、
複数のコンタクトは、それぞれ、嵌合方向の前端部分に配置され且つ嵌合方向に沿って有効接続長に相当する長さを有すると共にハウジングから露出されて相手側コネクタのコンタクトに接触する接触部と、接触部に対して嵌合方向の後端側に隣接し且つハウジングから露出されている露出部と、嵌合方向の後端部分に配置され且つ接続対象物に接続される接続部と、露出部および接続部の間に配置され且つ少なくとも一部がハウジングに埋め込まれる保持部とを有し、
複数のコンタクトは、それぞれ、接触部においてミッドプレートからミッドプレートに垂直な方向に所定の距離だけ離れて配置され、
複数のコンタクトのうち少なくとも複数ペアのコンタクトは、それぞれ、所定の距離よりも長い離間距離だけミッドプレートからミッドプレートに垂直な方向に離れた離間部を有し、
離間部は、露出部と露出部に対して嵌合方向の後端側に隣接する部分の保持部とを含むものである。
【００１１】
複数ペアのコンタクトを含む複数のコンタクトは、すべて離間部を有するように構成することができる。
複数のコンタクトの離間部は、互いに等しい離間距離だけミッドプレートから離れていることが好ましい。
【００１２】
ハウジングは、複数のコンタクトの露出部に対して嵌合方向の後端側に隣接する保持部の一部を覆うハウジング段差部を有し、離間部に対応する部分のハウジング段差部は、離間距離に等しい厚さを有することが好ましい。
ハウジングは、第１コンタクト列および第２コンタクト列に対応して一対のハウジング段差部を有することが好ましい。
一対のハウジング段差部の上にそれぞれ配置された導電性の平板状のグランドプレートをさらに備えることができる。
【００１３】
複数のコンタクトは、ハウジングに一体に成形されるように構成することができる。
複数のコンタクトの接触部および露出部を囲むようにハウジングの外周部を覆い且つ嵌合方向の前方に向けて開口する相手側コネクタ収容部を有する導電性の外周シェルをさらに備えることが好ましい。
【発明の効果】
【００１４】
この発明によれば、複数のコンタクトは、それぞれ、ハウジングから露出されて相手側コネクタのコンタクトに接触する接触部と、接触部に対して嵌合方向の後端側に隣接し且つハウジングから露出されている露出部と、接続対象物に接続される接続部と、露出部および接続部の間に配置され且つ少なくとも一部がハウジングに埋め込まれる保持部とを有し、複数のコンタクトのうち少なくとも複数ペアのコンタクトは、それぞれ、所定の距離よりも長い離間距離だけミッドプレートからミッドプレートに垂直な方向に離れた離間部を有し、離間部は、露出部と露出部に対して嵌合方向の後端側に隣接する部分の保持部とを含むので、複数のコンタクトと導電性のミッドプレートとを備えながらも、クロストークの発生を十分に抑制することが可能となる。
【図面の簡単な説明】
【００１５】
【図１】この発明の実施の形態に係るコネクタを示す斜視図である。
【図２】実施の形態に係るコネクタの分解斜視図である。
【図３】実施の形態に係るコネクタにおけるコンタクト組立体を示す斜視図である。
【図４】実施の形態に係るコネクタに用いられたミッドプレートおよび複数のコンタクトを示す斜視図である。
【図５】実施の形態に係るコネクタに用いられたミッドプレートおよび複数のコンタクトを模式的に示す図である。
【図６】実施の形態に係るコネクタに用いられた第１コンタクトを示す側面図である。
【図７】実施の形態に係るコネクタに用いられた第２コンタクトを示す側面図である。
【図８】実施の形態に係るコネクタの側面断面図である。
【図９】実施の形態に係るコネクタにおいてハウジングに保持されたミッドプレートと第１コンタクトおよび第２コンタクトとを模式的に示す部分断面図である。
【図１０】実施の形態に係るコネクタに相手側コネクタが嵌合した状態を示す側面断面図である。
【図１１】変形例に係るコネクタにおいてハウジングに保持されたミッドプレートと第１コンタクトおよび第２コンタクトとを模式的に示す部分断面図である。
【図１２】従来のコネクタに用いられたミッドプレートおよび複数のコンタクトを示す斜視図である。
【図１３】従来のコネクタに用いられたミッドプレートおよび複数のコンタクトを示す側面図である。
【図１４】従来のコネクタを示す側面断面図である。
【発明を実施するための形態】
【００１６】
以下、この発明の実施の形態を添付図面に基づいて説明する。
図１に、実施の形態に係るコネクタ１１を示す。このコネクタ１１は、電子機器内の回路基板等に実装されるレセプタクルコネクタであり、それぞれ嵌合軸Ｃ１に沿って嵌合方向に延び且つ嵌合軸Ｃ１に対して直交する方向に配列された導電性の複数のコンタクト１２を有している。
【００１７】
複数のコンタクト１２の嵌合方向の前端部の外周を覆うように嵌合軸Ｃ１に沿って延びる導電性の外周シェル１３が配置され、外周シェル１３の内部に、嵌合方向の前方に向けて開口し且つ図示しない相手側コネクタが挿入される相手側コネクタ収容部１３Ａが形成されている。相手側コネクタ収容部１３Ａ内には、絶縁性のハウジング１４が配置されており、ハウジング１４に複数のコンタクト１２が保持され、ハウジング１４の外周部を外周シェル１３が囲っている。
また、ハウジング１４には、導電性の平板状のミッドプレート１５が埋め込まれて保持されている。
【００１８】
コネクタ１１の分解図を図２に示す。複数のコンタクト１２は、ミッドプレート１５の一方の面に対向するように配列された第１コンタクト列２１と、ミッドプレート１５の他方の面に対向するように配列された第２コンタクト列３１とを有している。第１コンタクト列２１は、複数の第１コンタクト２２からなり、複数の第１コンタクト２２は、インシュレータ２３によりモジュール化された第１モジュール２４を形成している。同様に、第２コンタクト列３１は、複数の第２コンタクト３２からなり、複数の第２コンタクト３２は、インシュレータ３３によりモジュール化された第２モジュール３４を形成している。
【００１９】
コネクタ１１は、ミッドプレート１５と第１モジュール２４および第２モジュール３４とを一体に成形するインシュレータ４１を有しており、インシュレータ２３、３３および４１により、ハウジング１４が構成されている。
【００２０】
ここで、便宜上、嵌合軸Ｃ１に沿ってコネクタ１１の前部から後部に向かう方向を＋Ｙ方向、第１コンタクト列２１および第２コンタクト列３１の配列方向をＸ方向、ＸＹ面に垂直で且つ第２モジュール３４から第１モジュール２４へ向かう方向を＋Ｚ方向と呼ぶこととする。
【００２１】
インシュレータ４１の成形により、図３に示されるように、第１コンタクト列２１の複数の第１コンタクト２２と第２コンタクト列３１の複数の第２コンタクト３２とミッドプレート１５とがハウジング１４に一体に成形されたコンタクト組立体４２が形成される。なお、図３においては、第２コンタクト列３１の複数の第２コンタクト３２が、インシュレータ４１の−Ｚ方向側に隠れているため、図示されていない。
このコンタクト組立体４２に外周シェル１３を取り付けることで、図１に示されるコネクタ１１が作製されている。
【００２２】
ミッドプレート１５を挟んでミッドプレート１５の＋Ｚ方向側に配置された第１コンタクト列２１およびミッドプレート１５の−Ｚ方向側に配置された第２コンタクト列３１を図４に示す。第１コンタクト列２１を構成する複数の第１コンタクト２２は、Ｘ方向に配列されており、それぞれ、概ねＹ方向に伸張する板状の金属部材から形成されている。同様に、第２コンタクト列３１を構成する複数の第２コンタクト３２は、Ｘ方向に配列されており、それぞれ、概ねＹ方向に伸張する板状の金属部材から形成されている。
また、ミッドプレート１５は、第１コンタクト列２１と第２コンタクト列３１とを互いに電気的に隔離するためのものであり、例えば金属板から形成されている。
【００２３】
図５に示されるように、第１コンタクト列２１を構成する複数の第１コンタクト２２は、−Ｘ方向から＋Ｘ方向に向けて配列された１２本のコンタクトＳ１〜Ｓ１２を有している。これらのコンタクトのうち、Ｘ方向の中央部に位置する２本のコンタクトＳ６およびＳ７は、低速信号伝送用の第１ペアＳＰ１のコンタクトを構成し、Ｘ方向において最も外側に位置するコンタクトＳ１およびＳ１２はグランド用コンタクトであり、コンタクトＳ１に隣接する２本のコンタクトＳ２およびＳ３と、コンタクトＳ１２に隣接する２本のコンタクトＳ１１およびＳ１０は、それぞれ、高速信号伝送用の第２ペアＳＰ２のコンタクトを構成している。残りのコンタクトＳ４、Ｓ５、Ｓ８およびＳ９は、電源用コンタクト、あるいは、コネクタ１１の挿抜検出等に用いられるコンタクトである。
【００２４】
同様に、第２コンタクト列３１を構成する複数の第２コンタクト３２は、−Ｘ方向から＋Ｘ方向に向けて配列された１２本のコンタクトＴ１〜Ｔ１２を有している。これらのコンタクトのうち、Ｘ方向の中央部に位置する２本のコンタクトＴ６およびＴ７は、低速信号伝送用の第１ペアＴＰ１のコンタクトを構成し、Ｘ方向において最も外側に位置するコンタクトＴ１およびＴ１２はグランド用コンタクトであり、コンタクトＴ１に隣接する２本のコンタクトＴ２およびＴ３と、コンタクトＴ１２に隣接する２本のコンタクトＴ１１およびＴ１０は、それぞれ、高速信号伝送用の第２ペアＴＰ２のコンタクトを構成している。残りのコンタクトＴ４、Ｔ５、Ｔ８およびＴ９は、電源用コンタクト、あるいは、コネクタ１１の挿抜検出等に用いられるコンタクトである。
このように、第１コンタクト列２１および第２コンタクト列３１は、それぞれ、電気信号を伝送するために使用される３組のペアのコンタクトを含んでいる。
【００２５】
図６に示されるように、第１コンタクト２２の−Ｙ方向端部には、ハウジング１４から露出されて図示しない相手側コネクタのコンタクトに接触するための接触部２２Ａが形成され、接触部２２Ａに対して嵌合方向の後端側、すなわち、接触部２２Ａの＋Ｙ方向側に隣接して所定長さの露出部２２Ｂが形成されている。露出部２２Ｂは、ハウジング１４から露出されるものの相手側コネクタのコンタクトに接触することはない部分である。
また、第１コンタクト２２の＋Ｙ方向端部には、コネクタ１１が実装される回路基板等の接続対象物に接続される接続部２２Ｃが配置され、露出部２２Ｂと接続部２２Ｃとの間には、少なくとも一部がハウジング１４に埋め込まれることによりハウジング１４に保持される保持部２２Ｄが配置されている。
【００２６】
接触部２２Ａは、Ｙ方向に沿って延び、コネクタ１１の有効接続長に相当する長さを有している。なお、「コネクタ１１の有効接続長」とは、コネクタ１１に図示しない相手側コネクタが嵌合する際に、相手側コネクタのコンタクトがコネクタ１１の第１コンタクト２２または第２コンタクト３２の表面に接触して移動する距離を意味している。露出部２２Ｂも、接触部２２Ａと同様にＹ方向に沿って延びているが、接触部２２Ａよりも＋Ｚ方向側にずれた位置にあり、接触部２２Ａと露出部２２Ｂとの境界部分にコンタクト段差部２２Ｅが形成されている。
【００２７】
露出部２２Ｂに接続される保持部２２Ｄの−Ｙ方向部分は、露出部２２Ｂと同じＺ方向位置においてＹ方向に沿って延びており、露出部２２Ｂと保持部２２Ｄとの境界部分に段差は存在しない。このため、露出部２２Ｂと保持部２２Ｄとの境界部分は、第１コンタクト２２から見分けることができず、図３のように、コンタクト組立体４２を形成したときに、ハウジング１４に埋め込まれることなく露出する部分が露出部２２Ｂとなり、ハウジング１４に埋め込まれる部分から＋Ｙ方向側が保持部２２Ｄとなる。
【００２８】
図７に示されるように、第２コンタクト３２の−Ｙ方向端部には、ハウジング１４から露出されて図示しない相手側コネクタのコンタクトに接触するための接触部３２Ａが形成され、接触部３２Ａに対して嵌合方向の後端側、すなわち、接触部３２Ａの＋Ｙ方向側に隣接して所定長さの露出部３２Ｂが形成されている。露出部３２Ｂは、ハウジング１４から露出されるものの相手側コネクタのコンタクトに接触することはない部分である。
また、第２コンタクト３２の＋Ｙ方向端部には、コネクタ１１が実装される回路基板等の接続対象物に接続される接続部３２Ｃが配置され、露出部３２Ｂと接続部３２Ｃとの間には、少なくとも一部がハウジング１４に埋め込まれることによりハウジング１４に保持される保持部３２Ｄが配置されている。
【００２９】
接触部３２Ａは、Ｙ方向に沿って延び、コネクタ１１の有効接続長に相当する長さを有している。露出部３２Ｂも、接触部３２Ａと同様にＹ方向に沿って延びているが、接触部３２Ａよりも−Ｚ方向側にずれた位置にあり、接触部３２Ａと露出部３２Ｂとの境界部分にコンタクト段差部３２Ｅが形成されている。
【００３０】
露出部３２Ｂに接続される保持部３２Ｄの−Ｙ方向部分は、露出部３２Ｂと同じＺ方向位置においてＹ方向に沿って延びており、露出部３２Ｂと保持部３２Ｄとの境界部分に段差は存在しない。このため、露出部３２Ｂと保持部３２Ｄとの境界部分は、第２コンタクト３２から見分けることができず、図３のように、コンタクト組立体４２を形成したときに、ハウジング１４に埋め込まれることなく露出する部分が露出部３２Ｂとなり、ハウジング１４に埋め込まれる部分から＋Ｙ方向側が保持部３２Ｄとなる。
【００３１】
第２コンタクト３２の接触部３２Ａおよび露出部３２Ｂは、それぞれ、第１コンタクト２２の接触部２２Ａおよび露出部２２Ｂと同じＹ方向長さを有している。一方、第２コンタクト３２の保持部３２Ｄは、第１コンタクト２２の保持部２２Ｄよりも短いＹ方向長さを有している。
【００３２】
ＹＺ面により切断したコネクタ１１の側面断面図を図８に示す。第１コンタクト２２の接触部２２Ａ、露出部２２Ｂおよび保持部２２Ｄの−Ｙ方向部分と、第２コンタクト３２の接触部３２Ａ、露出部３２Ｂおよび保持部３２Ｄが、外周シェル１３により囲まれて相手側コネクタ収容部１３Ａ内に配置され、第１コンタクト２２の接触部２２Ａおよび露出部２２Ｂと保持部２２Ｄの−Ｙ方向部分とがミッドプレート１５の＋Ｚ方向側の面に対向し、第２コンタクト３２の接触部３２Ａおよび露出部３２Ｂと保持部３２Ｄの−Ｙ方向部分とがミッドプレート１５の−Ｚ方向側の面に対向している。
【００３３】
第１コンタクト２２の接触部２２Ａおよび露出部２２Ｂは、ハウジング１４に埋め込まれることなく、相手側コネクタ収容部１３Ａ内においてハウジング１４から＋Ｚ方向に露出している。同様に、第２コンタクト３２の接触部３２Ａおよび露出部３２Ｂは、ハウジング１４に埋め込まれることなく、相手側コネクタ収容部１３Ａ内においてハウジング１４から−Ｚ方向に露出している。
【００３４】
一方、第１コンタクト２２の露出部２２Ｂに隣接する保持部２２Ｄの−Ｙ方向部分は、ハウジング１４に埋設されており、ハウジング１４は、保持部２２Ｄの−Ｙ方向部分を＋Ｚ方向から覆うハウジング段差部１６を有している。同様に、第２コンタクト３２の露出部３２Ｂに隣接する保持部３２Ｄの−Ｙ方向部分は、ハウジング１４に埋設されており、ハウジング１４は、保持部３２Ｄの−Ｙ方向部分を−Ｚ方向から覆うハウジング段差部１７を有している。
【００３５】
なお、第１コンタクト２２の接続部２２Ｃおよび第２コンタクト３２の接続部３２Ｃは、コネクタ１１の＋Ｙ方向端部において、ハウジング１４から−Ｚ方向に突出している。第２コンタクト３２の保持部３２Ｄは、第１コンタクト２２の保持部２２Ｄよりも短いＹ方向長さを有しているので、第２コンタクト３２の接続部３２Ｃは、第１コンタクト２２の接続部２２Ｃよりも−Ｙ方向側に位置している。このように、Ｘ方向に配列された複数の第１コンタクト２２の接続部２２ＣとＸ方向に配列された複数の第２コンタクト３２の接続部３２Ｃとを、互いにＹ方向の異なる位置に配置することにより、それぞれの接続部２２Ｃまたは３２Ｃの設置スペースが確保され、回路基板等の接続対象物に接続しやすくなる。
【００３６】
ここで、図９に示されるように、第１コンタクト２２の露出部２２Ｂは、接触部２２Ａよりも＋Ｚ方向側にずれた位置にあり、接触部２２Ａは、ミッドプレート１５からミッドプレート１５に垂直な方向である＋Ｚ方向に所定の距離Ｄ１だけ離れて配置され、露出部２２Ｂは、ミッドプレート１５から＋Ｚ方向に所定の距離Ｄ１よりも長い離間距離Ｄ２だけ離れて配置されている。接触部２２Ａと露出部２２Ｂとの境界部分に形成されているコンタクト段差部２２Ｅの高さをＨ１とすると、Ｄ２＝Ｄ１＋Ｈ１となる。
【００３７】
さらに、露出部２２Ｂに隣接する保持部２２Ｄの−Ｙ方向部分も、露出部２２Ｂと同じＺ方向位置においてＹ方向に沿って延びているので、露出部２２Ｂから保持部２２Ｄの−Ｙ方向部分にかけて、所定の距離Ｄ１よりも長い離間距離Ｄ２だけミッドプレート１５から離れた離間部２２Ｆが形成されている。
【００３８】
同様に、第２コンタクト３２の露出部３２Ｂは、接触部３２Ａよりも−Ｚ方向側にずれた位置にあり、接触部３２Ａは、ミッドプレート１５からミッドプレート１５に垂直な方向である−Ｚ方向に所定の距離Ｄ１だけ離れて配置され、露出部３２Ｂは、ミッドプレート１５から−Ｚ方向に所定の距離Ｄ１よりも長い離間距離Ｄ２だけ離れて配置されている。接触部３２Ａと露出部３２Ｂとの境界部分に形成されているコンタクト段差部３２Ｅの高さをＨ１とすると、Ｄ２＝Ｄ１＋Ｈ１となる。
【００３９】
さらに、露出部３２Ｂに隣接する保持部３２Ｄの−Ｙ方向部分も、露出部３２Ｂと同じＺ方向位置においてＹ方向に沿って延びているので、露出部３２Ｂから保持部３２Ｄの−Ｙ方向部分にかけて、所定の距離Ｄ１よりも長い離間距離Ｄ２だけミッドプレート１５から離れた離間部３２Ｆが形成されている。
【００４０】
このように、コネクタ１１においては、ミッドプレート１５から離間距離Ｄ２だけ＋Ｚ方向に離れている第１コンタクト２２の離間部２２Ｆは、ハウジング１４に埋め込まれている保持部２２Ｄだけでなく、ハウジング１４から露出している露出部２２Ｂにまで延びている。同様に、ミッドプレート１５から離間距離Ｄ２だけ−Ｚ方向に離れている第２コンタクト３２の離間部３２Ｆは、ハウジング１４に埋め込まれている保持部３２Ｄだけでなく、ハウジング１４から露出している露出部３２Ｂにまで延びている。
なお、複数の第１コンタクト２２は、それぞれ離間部２２Ｆを有し、複数の第２コンタクト３２は、それぞれ離間部３２Ｆを有し、すべての離間部２２Ｆおよび３２Ｆは、互いに等しい離間距離Ｄ２だけミッドプレート１５から離れている。
【００４１】
このため、それぞれの第１コンタクト２２および第２コンタクト３２において、Ｙ方向に沿った長い離間部２２Ｆおよび３２Ｆが確保され、ミッドプレート１５により複数の第１コンタクト２２と複数の第２コンタクト３２とを互いに電気的に隔離しながらも、ミッドプレート１５を介したクロストークの発生を十分に抑制することが可能となる。従って、優れた特性で電気信号の伝送を行うことができる。
【００４２】
また、第１コンタクト２２の保持部２２Ｄの−Ｙ方向部分を＋Ｚ方向から覆っているハウジング段差部１６は、離間部２２Ｆにおけるミッドプレート１５からの離間距離Ｄ２に等しい厚さＤ３を有している。同様に、第２コンタクト３２の保持部３２Ｄの−Ｙ方向部分を−Ｚ方向から覆っているハウジング段差部１７も、離間部３２Ｆにおけるミッドプレート１５からの離間距離Ｄ２に等しい厚さＤ３を有している。
【００４３】
図１０に、相手側コネクタ５１との嵌合状態にあるコネクタ１１を示す。相手側コネクタ５１は金属製のシェル５２を有し、シェル５２内の＋Ｚ方向側には、Ｘ方向に配列された複数の板バネ状の第１コンタクト５３が配置され、シェル５２内の−Ｚ方向側には、Ｘ方向に配列された複数の板バネ状の第２コンタクト５４が配置されている。複数の第１コンタクト５３は、コネクタ１１の複数の第１コンタクト２２に対応し、複数の第２コンタクト５４は、コネクタ１１の複数の第２コンタクト３２に対応している。
また、相手側コネクタ５１の＋Ｙ方向端部の近傍におけるシェル５２の内部には、シェル５２に電気的に接続された金属製の板バネ状の一対の押さえ部５５および５６が互いにＺ方向に対向するように配置されている。
【００４４】
相手側コネクタ５１の＋Ｙ方向端部が、嵌合軸Ｃ１に沿ってコネクタ１１の相手側コネクタ収容部１３Ａに挿入され、相手側コネクタ５１の押さえ部５５が、コネクタ１１の＋Ｚ方向側のハウジング段差部１６の上に接触してハウジング段差部１６を−Ｚ方向に押し付けると共に、相手側コネクタ５１の押さえ部５６が、コネクタ１１の−Ｚ方向側のハウジング段差部１７の上に接触してハウジング段差部１７を＋Ｚ方向に押し付ける。これにより、相手側コネクタ５１の＋Ｙ方向端部がコネクタ１１の相手側コネクタ収容部１３Ａ内に位置決めされる。
【００４５】
このとき、相手側コネクタ５１の複数の第１コンタクト５３が、それぞれ、コネクタ１１の対応する第１コンタクト２２の接触部２２Ａに接触し、相手側コネクタ５１の複数の第２コンタクト５４が、それぞれ、コネクタ１１の対応する第２コンタクト３２の接触部３２Ａに接触する。これにより、相手側コネクタ５１の複数の第１コンタクト５３および複数の第２コンタクト５４が、コネクタ１１の複数の第１コンタクト２２および複数の第２コンタクト３２に電気的に接続され、この状態で、電気信号の伝送が行われる。
【００４６】
コネクタ１１の＋Ｚ方向側のハウジング段差部１６の上に相手側コネクタ５１の金属製の押さえ部５５が接触するため、第１コンタクト２２の保持部２２Ｄの−Ｙ方向部分は、導電性のミッドプレート１５と相手側コネクタ５１の押さえ部５５とでＺ方向に挟まれることとなるが、ミッドプレート１５からの離間距離Ｄ２とハウジング段差部１６の厚さＤ３が互いに等しいので、効率よく電気信号を伝送することができる。
同様に、コネクタ１１の−Ｚ方向側のハウジング段差部１７の上に相手側コネクタ５１の金属製の押さえ部５６が接触するため、第２コンタクト３２の保持部３２Ｄの−Ｙ方向部分は、導電性のミッドプレート１５と相手側コネクタ５１の押さえ部５６とでＺ方向に挟まれることとなるが、ミッドプレート１５からの離間距離Ｄ２とハウジング段差部１７の厚さＤ３が互いに等しいので、効率よく電気信号を伝送することができる。
【００４７】
なお、図１１に示されるように、＋Ｚ方向側のハウジング段差部１６の上および−Ｚ方向側のハウジング段差部１７の上に、それぞれ、導電性の平板状のグランドプレート１８および１９を配置することもできる。これらのグランドプレート１８および１９は、例えば、金属板から形成され、図８等に示されるコネクタ１１の導電性の外周シェル１３に電気的に接続される。
このような構成とすれば、図１０に示されるように、コネクタ１１と相手側コネクタ５１との嵌合状態において、相手側コネクタ５１の一対の押さえ部５５および５６が、それぞれ、コネクタ１１のグランドプレート１８および１９に接触することで、コネクタ１１の外周シェル１３と相手側コネクタ５１のシェル５２を電気的に接続することができる。
【００４８】
このように、ハウジング段差部１６および１７の上にグランドプレート１８および１９がそれぞれ配置される場合に、第１コンタクト２２の保持部２２Ｄの−Ｙ方向部分は、導電性のミッドプレート１５とグランドプレート１８とでＺ方向に挟まれることとなるが、ミッドプレート１５からの離間距離Ｄ２とハウジング段差部１６の厚さＤ３が互いに等しいので、効率よく電気信号を伝送することができる。同様に、第２コンタクト３２の保持部３２Ｄの−Ｙ方向部分は、導電性のミッドプレート１５とグランドプレート１９とでＺ方向に挟まれることとなるが、ミッドプレート１５からの離間距離Ｄ２とハウジング段差部１７の厚さＤ３が互いに等しいので、効率よく電気信号を伝送することができる。
【００４９】
上述した実施の形態では、第１コンタクト列２１の複数の第１コンタクト２２のすべてが離間部２２Ｆを有し、第２コンタクト列３１の複数の第２コンタクト３２のすべてが離間部３２Ｆを有しているが、これに限るものではない。
【００５０】
離間部２２Ｆおよび３２Ｆは、電気信号を伝送する際のクロストークの発生を抑制するためのものであるので、図５に示されるように、第１コンタクト列２１の複数の第１コンタクト２２のうち、電気信号伝送用の第１ペアＳＰ１のコンタクトＳ６およびＳ７と、２組の第２ペアＳＰ２のコンタクトＳ２、Ｓ３、Ｓ１０およびＳ１１のみが離間部２２Ｆを有し、第２コンタクト列３１の複数の第２コンタクト３２のうち、電気信号伝送用の第１ペアＴＰ１のコンタクトＴ６およびＴ７と、２組の第２ペアＴＰ２のコンタクトＴ２、Ｔ３、Ｔ１０およびＴ１１のみが離間部３２Ｆを有し、第１コンタクト列２１および第２コンタクト列３１の残りのコンタクトは離間部を有しない構成とすることもできる。このような構成としても、ミッドプレート１５を介したクロストークの発生を十分に抑制して、優れた特性で電気信号の伝送を行うことが可能となる。
【００５１】
なお、第１コンタクト列２１および第２コンタクト列３１のコンタクトの本数は制限されるものではなく、第１コンタクト列２１および第２コンタクト列３１が、それぞれ、電気信号伝送用の複数ペアのコンタクトを含んでいればよい。
【符号の説明】
【００５２】
１  ミッドプレート、２，３  コンタクト、２Ａ，３Ａ  接触部、２Ｂ，３Ｂ  接続部、２Ｃ，３Ｃ  保持部、２Ｄ，３Ｄ  変形部、４  ハウジング、１１  コネクタ、１２  コンタクト、１３  外周シェル、１３Ａ  相手側コネクタ収容部、１４  ハウジング、１５  ミッドプレート、１６，１７  ハウジング段差部、１８，１９  グランドプレート、２１  第１コンタクト列、２２  第１コンタクト、２２Ａ，３２Ａ  接触部、２２Ｂ，３２Ｂ  露出部、２２Ｃ，３２Ｃ  接続部、２２Ｄ，３２Ｄ  保持部、２２Ｅ，３２Ｅ  コンタクト段差部、２２Ｆ，３２Ｆ  離間部、２３，３３，４１  インシュレータ、２４  第１モジュール、３１  第２コンタクト列、３２  第２コンタクト、３４  第２モジュール、４２  コンタクト組立体、５１  相手側コネクタ、５２  シェル、５３  第１コンタクト、５４  第２コンタクト、５５，５６  押さえ部、Ｃ１  嵌合軸、Ｓ１〜Ｓ１２，Ｔ１〜Ｔ１２  コンタクト、ＳＰ１，ＴＰ１  第１ペア、ＳＰ２，ＴＰ２  第２ペア、Ｄ１  所定の距離、Ｄ２  離間距離、Ｄ３  厚さ、Ｈ１  高さ。
【図１】
2020198173.tif 000003
【図２】
2020198173.tif 000004
【図３】
2020198173.tif 000005
【図４】
2020198173.tif 000006
【図５】
2020198173.tif 000007
【図６】
2020198173.tif 000008
【図７】
2020198173.tif 000009
【図８】
2020198173.tif 000010
【図９】
2020198173.tif 000011
【図１０】
2020198173.tif 000012
【図１１】
2020198173.tif 000013
【図１２】
2020198173.tif 000014
【図１３】
2020198173.tif 000015
【図１４】
2020198173.tif 000016